(57)【要約】  【課題】所定の設定条件の対象となる室内機のみを選択し、これに対して設定操作を行なうことにより、オペレータの負担を軽減し、又、正確な設定を行なう事ができる集中管理装置、およびこれを備えた空調機システムとその制御方法を提供する。  【解決手段】複数の室内機と室外機と集中管理装置とを通信回線で接続して空調機システムを構成し、集中管理装置はオペレータから室内機を選択する検索条件、例えば設定温度範囲、室内温度、室内機電源の入／切状態、運転モード、運転タイマーの状態、室内機の送風量、室内機が設置されている部屋の間取り状態、室内機の風向板の角度の内、少なくとも１つ以上を入力し、同検索条件に一致する室内機とその運転状態を管理テーブルから抽出し、抽出した室内機の運転状態を表示部に表示し、同表示された運転状態と対応する室内機に対して運転の変更指示を一括設定する。【選択図】図６
2008151465.tif 000002
【特許請求の範囲】
【請求項１】
オペレータの指示を入力する入力部と表示部と記憶部と通信部及びそれぞれを制御する制御部を備えた集中管理装置と、同集中管理装置と通信回線を介して接続される複数の室内機と室外機とを備え、
前記集中管理装置の制御部は、前記オペレータから入力された前記室内機に関する運転指示のデータを前記通信回線を介して前記室内機へ送信する一方、前記室内機から前記通信部を介して受信した前記室内機の運転状態のデータを前記記憶部に記憶し、記憶した前記室内機の運転状態のデータを前記表示部に表示してなる空調機システムであって、
前記制御部は、前記オペレータから入力された前記室内機を選択する検索条件に基づき、同検索条件に一致する前記室内機とその運転状態を前記記憶部から抽出して前記表示部に表示すると共に、同抽出された運転状態と対応する前記室内機に対して、前記オペレータから入力された運転変更指示のデータを送信してなることを特徴とする空調機システム。
【請求項２】
オペレータの指示を入力する入力部と表示部と記憶部と通信部及びそれぞれを制御する制御部を備えた集中管理装置と、同集中管理装置と通信回線を介して接続される複数の室内機と室外機とを備え、
前記集中管理装置の制御部は、前記オペレータから入力された前記室内機に関する運転指示のデータを前記通信回線を介して前記室内機へ送信する一方、前記室内機から前記通信部を介して受信した前記室内機の運転状態のデータを前記記憶部に記憶し、記憶した前記室内機の運転状態のデータを前記表示部に表示してなる空調機システムの制御方法であって、
前記集中管理装置の制御部は、前記オペレータから前記室内機を選択する検索条件を入力するステップと、同検索条件に一致する前記室内機とその運転状態を前記記憶部から抽出するステップと、前記抽出した前記室内機の運転状態を前記表示部に表示するステップと、前記オペレータから運転変更指示のデータを入力するステップと、同入力した運転指示のデータを前記抽出された運転状態と対応する前記室内機に対して送信するステップとを実行してなることを特徴とする空調機システムの制御方法。
【請求項３】
前記検索条件は、前記室内機の設定温度範囲、前記室内機が設置されている部屋の室内温度、前記室内機電源の入／切状態、冷暖房などの運転モード、運転タイマーの状態、前記室内機の送風量、前記室内機が設置されている部屋の間取り状態、前記室内機の風向板の角度の内、少なくとも１つ以上としてなることを特徴とする請求項２記載の空調機システムの制御方法。
【請求項４】
前記検索条件に一致する前記室内機とその運転状態を前記記憶部から抽出するステップを実行した結果、前記検索条件に一致する前記室内機が無かった場合、前記制御部は、前記検索条件に一致するまで検索を繰り返して実行してなることを特徴とする請求項２または請求項３記載の空調機システムの制御方法。
【請求項５】
請求項２乃至請求項４のいずれかに記載の空調機システムの制御方法により、前記空調機システムを制御することを特徴とする集中管理装置。
【発明の詳細な説明】
【技術分野】
【０００１】
本発明は、複数の室内機や室外機を備えた空調機システムに係わり、より詳細には、この空調機システムを制御する集中管理装置の制御方法に関する。
【背景技術】
【０００２】
従来、空調機システム全体を集中制御する集中管理装置については、様々なものが開示されている。この一例を図１のシステムブロック図、図２の集中管理装置のブロック図を用いて説明する。なお、図１、図２の構成は本発明でも同じ構成で使用している。
【０００３】
図１に示すように空調機システムは、２台の室外機１２と、リモコン１１がそれぞれ接続された室内機Ｎｏ．０１〜Ｎｏ．１０の１０台の室内機１０と、これらの室外機１２と室内機１０とを集中管理する集中管理装置１３とを備えている。なお、これらの機器は、互いに制御信号を送受信する空調機ネットワークの信号線で接続されている。なお、本願の内容と直接関係のない冷媒管などは図示と説明を省略している。
【０００４】
各室内機１０は、これらが設置される場所に対応して３つのグループに区別されている。例えば、図示しない事務室や会議室など、グループで一括制御した方が、個々の室内機１０をリモコン１１で制御する場合より運用が容易になる時に、グループ毎に一括制御を行なう。なお、システム全体の一括制御を行なうこともできる。個々の室内機に対して制御を指示すると共に、このような一括制御を指示する装置が集中管理装置１３である。
【０００５】
この集中管理装置１３は図２に示すように、液晶表示パネルからなる表示部１と、この表示部１の表示面に配置されたタッチパネルである入力部２と、システムに接続された室内機の運転状態などの管理データを管理テーブルとして記憶する記憶部４と、空調機ネットワーク（通信回線）を介して室外機１２や室内機１０と通信を行なう通信部５と、表示部１と入力部２と記憶部４と通信部５とを制御する制御部３とを備えている。
【０００６】
この集中管理装置１３は、図示しないオペレータの操作により、入力部２からシステムに対する指示を入力し、この指示データを表示部１で表示させ、また、通信部５を介してこれらの指示を室外機１２や室内機１０に送信する。この指示を受信した室外機１２や室内機１０は、指示内容に従って運転開始／停止、冷房や暖房などの運転モードの決定、室内機１０が設置されている部屋に対する設定温度の設定などを実行する。なお、指示データ通りに実行した場合、この室外機１２の最新の運転状態を運転状態データとして集中管理装置１３へ返送する。集中管理装置１３では、返送された運転状態データを基にして管理テーブルを更新する。
【０００７】
また、室内機１０が設置されている部屋の室温や送風の風量などのデータを室内機１０から集中管理装置１３へ送信し、集中管理装置１３は、この受信したデータを記憶部４の管理テーブルへ記憶すると共に、表示部１で表示させる。一方、リモコン１１は、このリモコン１１が接続されている室内機１０に対してのみ、運転開始／停止、冷房や暖房などの運転モードの決定、室内機１０が設置されている部屋に対する設定温度の設定などを指示することができる。
【０００８】
そして、このリモコン１１での指示は全てデータとして集中管理装置１３へ送信され、記憶部４の管理テーブルに記憶されるため、集中管理装置１３では全ての室内機１０の状態を把握できる。また、この把握した状態をオペレータが表示部１を介して確認し、システム全体の室内機１０や、グループ毎の室内機１０、また個々の室内機１０に対して任意の指示を行なうことができる。
【０００９】
図３は図１で説明した室内機１０が設置されている建物の間取りを示す上面図であり、図３（Ａ）は建物１階、図３（Ｂ）は建物２階を示している。この建物は各部屋に１つの窓６があり、西の方向、又は、東の方向に窓が配置されている。
【００１０】
また、この建物の１階には、部屋番号１０１〜１０５の部屋があり、各部屋には室内機Ｎｏ．０１〜０５の室内機１０が各１台設置されている。同様に、この建物の２階には、部屋番号２０１〜２０５の部屋があり、各部屋には室内機Ｎｏ．０６〜１０の室内機１０が１台ずつ設置されている。なお、部屋番号１０４と１０５とは会議室であり、必要に応じて室内機Ｎｏ．０４、０５を運転するようになっている。
【００１１】
図８は記憶部４に格納されている管理テーブルであり、室内機１０と室外機１２との状態がリアルタイムで更新され記憶されている。この管理テーブルはシステムの設置時に規定される項目と、通常の運用において更新される項目とがある。
【００１２】
システムの設置時に規定される項目としては、室内機Ｎｏ．、アドレス、種別、グループ、部屋番号がある。室内機Ｎｏ．は室内機を物理的に区別する番号であり、アドレスは空調機ネットワーク内の通信において通信相手を識別するために用いられる。種別は機器の種類、例えば室内機と室外機とを特定するためのものであり、グループは前述したように例えば１つの建物内で異なるテナントが複数ある場合、テナント毎に制御した方が効率的な場合などに使用される。部屋番号は室内機が実際に設置されている場所をオペレータが見易いようにするために用いられる。
【００１３】
通常の運用において更新される項目としては、電源、運転モード、設定温度、室内温度、タイマー設定、風量などがある。電源は対象室内機の電源入／切状態、運転モードは冷房／暖房などの区別、設定温度は室内機毎に設定されている目標となる室内温度、室内温度は現在の室温、タイマー設定は決められた時間に運転開始や運転停止を行なう設定、風量は現在運転中の室内機送風の強弱、をそれぞれ示している。これらの項目は、前述したように、オペレータの指示による集中管理装置から各室内機への指示に対するレスポンスとして受け取ったデータで更新される。もしくは、リモコンの操作による個別の室内機設定情報が集中管理装置へ送信され、記憶部の管理テーブルがこれに基づいて更新される。なお、これらのタイミング以外に、定期的に室内機１０から集中管理装置１３へ送信される場合もある。
【００１４】
図９は集中管理装置の表示部に表示される画面の一例である。画面は大きく分けて、対象エリアと設定エリアとに分かれている。対象エリアでは室内機の現在の状態を確認することができる。この表示エリアには最大で５台の室内機の状態を表示することができる。このシステムには合計で１０台の室内機があるので、残りの室内機は『次頁』をタッチすれば次の５台分が表示される。前の室内機情報が見たい場合は『前頁』をタッチすればよい。
【００１５】
設定エリアには、制御対象、運転状態、運転モード、設定温度を設定するエリア（枠）があり、それぞれのエリアにタッチするたびに、設定内容が順次切り替わるようになっている。例えば制御対象のエリアでは、「個別」、「グループ」、「全体」が切り替わり、運転状態のエリアでは「入」、「切」、「変更なし」が切り替わり、運転モードのエリアでは、「冷房」、「暖房」、「変更なし」が切り替わるようになっている。
【００１６】
また、設定温度のエリアでは、左右に配置された「＋」と「−」とを一回タッチするごとに、中央の温度表示が１℃ずつアップ／ダウンする。そして、対象エリアの部屋番号をタッチすると該当する室内機の項目欄が全て黄色になり、選択対象を選択した状態になる。選択を中止する場合は、再度タッチすれば元の表示状態に戻り、選択が解除される。また、複数の室内機を同時に選択したい場合は、同様に該当欄をタッチする。
【００１７】
対象エリアで室内機を選択した後、『設定』エリアをタッチすると、設定エリアで選択した内容が集中管理装置から、対象エリアで選択した室内機へ指示データとして送信される。これを受信した室内機では、指示データに従って室内機を設定し運転する。また、同時に設定した内容を室内機から集中管理装置へ送信し、集中管理装置は、この受信データによって記憶部の管理テーブルを書き換える。そして、この管理テーブルの内容は図９に示すフォーマットで再表示される。従って、図９は送信前の状態であるが、データが更新された後は、部屋番号１０２の設定温度が２５℃から２８℃に変化することになる。
【００１８】
図１０は制御対象が「グループ」の時の画面を示している。グループは３グループしかないので、全て表示されており、例えばグループ１を選択し、運転状態と運転モードとを「変更なし」に設定し、設定温度を２８℃にし、『設定』エリアをタッチする。すると、グループ１の対象機器、つまり、室内機Ｎｏ．０１〜０３の機器に２８℃の設定温度が設定される。
【００１９】
図１１は制御対象が「全体」の時の画面を示している。つまり、対象は全ての室内機となり、対象エリア（他の頁も含む）の機器全てが選択された状態になる。ここで、運転状態と運転モードとを「変更なし」に設定し、設定温度を２８℃にし、『設定』エリアをタッチする。すると、すべての対象機器、つまり、室内機Ｎｏ．０１〜１０の機器に２８℃の設定温度が設定される（例えば、特許文献１参照。）。
【００２０】
しかしながら、図１１の制御対象が「全体」の操作では、確かに全ての室内機が２８℃に設定されるが、２８℃以上に設定されている室内機、例えば図８における部屋番号２０３の場合、設定前が２９℃の設定温度となっており、「全体」の操作で、２９℃が２８℃に統一して設定されることになる。これは、２９℃で問題ない部屋でも強制的に２８℃設定することを意味し、省エネ的には問題がある。
【００２１】
このような問題は制御対象が「全体」の場合だけでなく、「グループ」設定の場合でも問題となる。例えば図１０において、グループ３を２８℃に設定した場合、部屋番号２０３で同様の問題が発生する。一方、図９のように「個別」で設定すれば前述した問題はないが、全ての室内機の設定情報を確認し、設定温度が２８℃未満の室内機だけ設定を行なう確認作業が必要であり、時には設定漏れの室内機が発生する場合があり、対象機器が多数の場合に正確な設定作業を行なうためにオペレータの負担が増加することがあった。
【特許文献１】特開平７−９５６７４号公報（第５頁、図８）
【発明の開示】
【発明が解決しようとする課題】
【００２２】
本発明は以上述べた問題点を解決し、所定の設定条件の対象となる室内機のみを選択し、これに対して設定操作を行なうことにより、オペレータの負担を軽減し、又、正確な設定を行なう事ができる集中管理装置、およびこれを備えた空調機システムとその制御方法を提供することを目的とする。
【課題を解決するための手段】
【００２３】
本発明は上述の課題を解決するため、請求項１に係わる発明は、
オペレータの指示を入力する入力部と表示部と記憶部と通信部及びそれぞれを制御する制御部を備えた集中管理装置と、同集中管理装置と通信回線を介して接続される複数の室内機と室外機とを備え、
前記集中管理装置の制御部は、前記オペレータから入力された前記室内機に関する運転指示のデータを前記通信回線を介して前記室内機へ送信する一方、前記室内機から前記通信部を介して受信した前記室内機の運転状態のデータを前記記憶部に記憶し、記憶した前記室内機の運転状態のデータを前記表示部に表示してなる空調機システムであって、
前記制御部は、前記オペレータから入力された前記室内機を選択する検索条件に基づき、同検索条件に一致する前記室内機とその運転状態を前記記憶部から抽出して前記表示部に表示すると共に、同抽出された運転状態と対応する前記室内機に対して、前記オペレータから入力された運転変更指示のデータを送信する。
【００２４】
もしくは、請求項２に係わる発明は、
オペレータの指示を入力する入力部と表示部と記憶部と通信部及びそれぞれを制御する制御部を備えた集中管理装置と、同集中管理装置と通信回線を介して接続される複数の室内機と室外機とを備え、
前記集中管理装置の制御部は、前記オペレータから入力された前記室内機に関する運転指示のデータを前記通信回線を介して前記室内機へ送信する一方、前記室内機から前記通信部を介して受信した前記室内機の運転状態のデータを前記記憶部に記憶し、記憶した前記室内機の運転状態のデータを前記表示部に表示してなる空調機システムの制御方法であって、
前記集中管理装置の制御部は、前記オペレータから前記室内機を選択する検索条件を入力するステップと、同検索条件に一致する前記室内機とその運転状態を前記記憶部から抽出するステップと、前記抽出した前記室内機の運転状態を前記表示部に表示するステップと、前記オペレータから運転変更指示のデータを入力するステップと、同入力した運転指示のデータを前記抽出された運転状態と対応する前記室内機に対して送信するステップとを実行する。
【００２５】
また、請求項３に係わる発明は、
前記検索条件は、前記室内機の設定温度範囲、前記室内機が設置されている部屋の室内温度、前記室内機電源の入／切状態、冷暖房などの運転モード、運転タイマーの状態、前記室内機の送風量、前記室内機が設置されている部屋の間取り状態、前記室内機の風向板の角度の内、少なくとも１つ以上とする。
【００２６】
また、請求項４に係わる発明は、
前記検索条件に一致する前記室内機とその運転状態を前記記憶部から抽出するステップを実行した結果、前記検索条件に一致する前記室内機が無かった場合、前記制御部は、前記検索条件に一致するまで検索を繰り返して実行する。
【００２７】
一方、請求項５に係わる発明は、
請求項２乃至請求項４のいずれかに記載の空調機システムの制御方法により、前記空調機システムを制御するように集中管理装置を構成する。
【発明の効果】
【００２８】
以上の手段を用いることにより、本発明による空調機システムによれば、
請求項１に係わる発明は、
集中管理装置にオペレータが入力した検索条件に一致する状態の室内機のみを抽出して表示するので、設定変更を行なうべき室内機をもれなく、また、迅速に選択、設定でき、オペレータの負担を軽減できる。さらに、室内機の状態を一覧で表示する場合、意図する室内機の情報だけ表示できるので、画面のサイズが小さくても視認性がよい。また、きめ細かく省エネの設定を簡単に行なうことができるので、システム全体の省エネを促進することができる。
【００２９】
本発明による空調機システムの制御方法によれば、請求項２に係わる発明は、
集中管理装置にオペレータが入力した検索条件に一致する状態の室内機のみを抽出して表示するので、設定変更を行なうべき室内機をもれなく、また、迅速に選択、設定でき、オペレータの負担を軽減できる。さらに、室内機の状態を一覧で表示する場合、意図する室内機の情報だけ表示できるので、画面のサイズが小さくても視認性がよい。
【００３０】
請求項３に係わる発明は、
設定温度の範囲を検索条件に指定できるため、設置された室内機が多数ある場合でも、効率的に、また、正確に意図する室内機を抽出でき、これらに一括設定できるので、オペレータの負担を軽減することができる。
【００３１】
また、検索条件を室内温度とすることにより、設定温度と食い違っている部屋があったとしても、適切な設定温度に修正して運転できるため、現実に則した運転ができる。
【００３２】
さらに、部屋の間取り状態を検索条件とすることにより、日差しが差し込む窓の向きなどを考慮し、きめ細やかな運転制御が可能であり、省エネを促進することが容易に可能となる。
【００３３】
さらに、室内機の送風量や運転タイマーの状態、室内機の上下風向板の角度を検索条件とすることにより、きめ細やかな運転制御が可能であり、省エネを促進することが容易に可能となる。また、室内機電源の入／切状態や運転モードを検索条件とすることにより、設定が必要な室内機をのみを選択、表示できるので視認性がよい。
【００３４】
請求項４に係わる発明は、
検索条件に一致する室内機が抽出されなかった場合、一致する室内機が抽出されるまで自動的に検索を繰り返し、不定期に実施される単体の室内機での設定も含めて監視するので、オペレータが常に監視する必要がなく、オペレータの負担を軽減できる。
【００３５】
また、本発明による集中管理装置によれば、請求項５に係わる発明は、
本発明によるシステムの制御方法を組み込んだ集中管理装置を、既存の集中管理装置に代替して設置するだけで、きめ細かく省エネの設定を簡単に行なうことができるので、システム全体の省エネを促進することができる。
【発明を実施するための最良の形態】
【００３６】
以下、本発明の実施の形態を、添付図面に基づいた実施例として詳細に説明する。なお、背景技術で説明した部分については同一の番号を付与すると共に、詳細な説明を省略する。
【実施例１】
【００３７】
本発明による空調機システム、及び集中管理装置のハードウェア部分は、図１と図２に示す構成であり、背景技術で説明した通りである。つまり、この空調機システムは、２台の室外機１２と、リモコン１１がそれぞれ接続された室内機Ｎｏ．０１〜Ｎｏ．１０の１０台の室内機１０と、これらの室外機１２と室内機１０とを集中管理する集中管理装置１３とを備えている。なお、これらの機器は、互いに制御信号を送受信する空調機ネットワークの信号線で接続されている。
【００３８】
各室内機１０は、これらが設置される場所に対応して３つのグループに区別されている。例えば、図示しない事務室や会議室など、グループで一括制御した方が、個々の室内機１０をリモコン１１で制御する場合より運用が容易になる時に、グループ毎に一括制御を行なう。なお、システム全体の一括制御を行なうこともできる。個々の室内機に対して制御を指示すると共に、このような一括制御を指示する装置が集中管理装置１３である。
【００３９】
この集中管理装置１３は図２に示すように、液晶表示パネルからなる表示部１と、この表示部１の表示面に配置されたタッチパネルである入力部２と、システム内機器の様々な管理データを記憶する記憶部４と、空調機ネットワーク（通信回線）を介して室外機１２や室内機１０と通信を行なう通信部５と、表示部１と入力部２と記憶部４と通信部５とを制御する制御部３とを備えている。
【００４０】
図４は記憶部４に格納されている管理テーブルであり、室内機や室外機の状態をリアルタイムで把握するために、各機器から随時送られてくる運転状態データを基に更新される。この管理テーブルも基本的には背景技術で説明した通りである。つまり、システムの設置時に規定される項目としては、室内機Ｎｏ．、アドレス、種別、グループ、部屋番号がある。一方、通常の運用において更新される項目としては、電源、運転モード、設定温度、室内温度、タイマー設定、風量などがある。
【００４１】
なお、本発明の場合、システムの設置時に規定される項目として「窓の向き」の項目が追加されている。空気調和機の制御を行なう場合、窓の有無や取付られている方角などの間取り状態により、日差しが差し込む度合いが異なり、部屋の温度に多大な影響を与える。例えば冷房運転の場合、南向きの窓で日差しが強い場合、省エネの基準である室温２８℃を室内機の設定温度にしていても、冷房能力の不足により室温は３０℃以上になる場合があり、省エネの温度設定にすることにより、かえって、この部屋で働く人達の能率を低下させてしまう場合がある。
【００４２】
一方、北向きの窓がある部屋の場合、日差しが全く差し込まず、省エネの基準である室温２８℃を室内機の設定温度にしたことにより室温が設定値以下に低下し、上着を羽織ったり、ひざ掛けを着用したりして、かえって、省エネに反してしまうことがある。このため、背景技術で説明したように個々の部屋ごとの細かい室内機の運転制御が必要となる。本発明はこの情報を予め管理テーブルに記憶しておくことにより、温度設定を行なう場合の参考にし、適切な温度管理を行なうようにしている。
【００４３】
図５は本発明による制御方法による集中管理装置に表示される表示部の画面である。
【００４４】
設定エリアには、制御対象、運転状態、運転モード、設定温度を設定するエリア（枠）があり、それぞれのエリアにタッチするたびに、設定内容が順次切り替わるようになっている。例えば制御対象のエリアでは、「個別」、「グループ」、「全体」が切り替わり、運転状態のエリアでは「入」、「切」、「変更なし」が切り替わり、運転モードのエリアでは、「冷房」、「暖房」、「変更なし」が切り替わるようになっている。
【００４５】
また、設定温度のエリアでは、左右に配置された「＋」と「−」とを一回タッチするごとに、中央の温度表示が１℃ずつアップ／ダウンする。そして、対象エリアの部屋番号をタッチすると該当する室内機の項目欄が全て黄色になり、選択対象を選択した状態になる。選択を中止する場合は、再度タッチすれば元の表示状態に戻り、選択が解除される。また、複数を同時に選択したい場合は、同様に該当欄をタッチする。
【００４６】
対象エリアで室内機（部屋番号）を選択した後、『設定』エリアをタッチすると、設定エリアで選択した内容が集中管理装置から、対象エリアで選択した室内機へ指示データとして送信される。これを受信した室内機では、指示データに従って室内機を設定し運転する。また、同時に設定した内容を室内機から集中管理装置へ送信し、集中管理装置は、この受信データによって記憶部の管理テーブルを書き換える。
【００４７】
以上の画面と機能の説明は背景技術で説明した通りである。本発明ではこれらの機能に加えて「設定温度」や「その他条件」による検索モードを備えていることが特徴である。
【００４８】
つまり、背景技術で説明した図９の個別の制御対象の画面において、全ての室内機の中から指定された条件に合致する室内機の情報のみを表示させ、表示された室内機に対して意図する設定（運転変更指示）を行なうようになっている。
【００４９】
このため、個別の制御対象の中からオペレータが意図する条件に合致する室内機を目で見て選択する必要がなくなり、正確で迅速な操作ができ、操作性を向上させることができる。
【００５０】
この検索モードにおける検索条件は、「設定温度」や「その他条件」の２つであるが、「その他条件」については、複数の中から選択することができる。つまり、「温度は室温」、「東窓」、「西窓」、「風量小」、「タイマ設定」、「なし」から１つを選択でき、「設定温度」で指示される温度条件と論理積の関係で参照されて検索される。
【００５１】
「設定温度」はその表示されている温度そのものを検索条件としても使用できるが、この表示の左右にある「＋」、「−」キーと合わせて使用することにより、温度範囲を指定することができる。例えば、設定温度の表示枠と「−」キーとを同時に押すと、この２つのエリアが黄色表示となり、図５の例では２８℃未満を検索条件にしたことになる。つまり、省エネの冷房温度基準である２８℃よりも下回って設定されている室内機を検索することになる。
【００５２】
なお、設定エリアは設定するモードや値を選択して表示できるが、対象エリアに表示された部屋の室内機に対して、設定エリアに表示された内容を設定する場合は『設定』をタッチし、設定エリアに表示された内容で検索を行なう場合は『検索』をタッチする。
【００５３】
図５の例では「その他条件」が「なし」に設定しているため、この状態、つまり、設定エリアに検索条件が表示された状態で「検索」をタッチすると運転状態が「入」で、かつ、運転モードが「冷房」で、かつ、設定温度が２８℃未満の室内機を検索して対象エリアに該当室内機の情報を表示する。
【００５４】
このため、集中管理装置の制御部は、図４の管理テーブルを参照し、前述の条件に合致する室内機を検索する。この場合、該当する室内機は、部屋番号１０２、１０５、２０１（室内機Ｎｏ．０２，０５，０６）の３台だけである。もし、これらの設定温度を２８℃に設定したいなら、対象エリアのこれらの表示情報にタッチして黄色の選択表示にした後、「設定」をタッチすればこの設定が反映される。なお、設定したくない室内機が有れば、そこだけ選択しなければ設定されないようになっており、オペレータの判断も反映させることができる。
【００５５】
また、条件の絞り込みも可能であり、検索結果が表示されている状態でさらに、検索条件を変化させてから「検索」にタッチすると、前回の検索の室内機から更に新たな検索条件に一致する室内機を検索して表示させることができる。検索した内容を全て破棄したい場合は、制御対象の枠をタッチして別の制御対象を選択すればよい。
【００５６】
なお、図示しないが、例えば、設定温度の表示枠と「＋」キーとを同時に押すと表示されている温度以上を検索の条件にすることができるし、「＋」と「−」キーとを同時押しすると、設定温度を検索条件から除外する。この場合、「その他条件」のみを検索条件として指定することになる。また、選択されて黄色表示となっているキーを再度タッチすることで、選択を解除することもできる。
【００５７】
このように、設定温度の範囲を検索条件に指定できるため、設置された室内機が多数ある場合でも、効率的に、また、正確に意図する室内機を抽出でき、これらに必要な動作状態（運転変更指示）を一括設定できるので、オペレータの負担を軽減することができる。
【００５８】
図６は「その他条件」を検索条件として併用した場合を示す集中管理装置に表示される表示部の画面である。
【００５９】
ここで検索条件となる「温度は室温」は、前述した設定温度の枠で表示されている温度表示が設定温度でなく室温とすることを意味している。空気調和機は基本的に設定温度と室温とが同じになるように制御するが、前述のように窓や日差しの条件で必ずしも同じ温度になるとは限らない。そこで、設定温度の代わりに現在の室温で検索するときに用いる。
【００６０】
検索条件を現在の室温とすることにより、設定温度と食い違っている部屋があったとしても、適切な設定温度に修正して運転できるため、現実に則した運転ができる。
【００６１】
「東窓」や「西窓」は前述したように、日差しが差し込む窓の向きを考慮し、例えば冷房運転時に午前中は「東窓」の部屋の設定温度を低めに、また、午後は「西窓」の部屋の設定温度を低めに設定するときに用いる。このため、きめ細やかな運転制御が可能であり、省エネを促進することが容易に可能となる。
【００６２】
「風量小」は冷房時に冷えすぎであることが考えられるので、この状態の部屋の設定温度を高めに設定したりする時に用いる。さらに、「タイマ設定」となっている部屋は常時運転の部屋と異なり、一定の温度に達するまでに時間がかかると予想されるので、例えば冷房運転時はやや低めの設定温度にする。このため、きめ細やかな運転制御が可能であり、省エネを促進することが容易に可能となる。「なし」はこれらの条件を使用しない場合に指定する。
【００６３】
図６の例では設定温度が２８℃未満でその他条件が「東窓」であるため、集中管理装置の制御部は、図４の管理テーブルを参照し、前述の条件に合致する室内機を検索する。この場合、該当する室内機は部屋番号１０５のみであり、この状態を対象エリアに表示する。この、室内機に対して設定（運転変更指示）を行なう手順は図５の場合と同じであるので説明を省略する。
【００６４】
この場合も前述したように絞り込み検索が可能であり、例えばその他条件に新たな条件「風量小」を表示させ、該当する室内機を絞り込んで再検索することができる。このため、多数の室内機が配置された空調機システムの中で、意図する室内機を容易に検索、設定（運転変更指示）することができる。
【００６５】
また、本発明による集中管理装置では条件の監視機能を備えている。例えば図６の検索を実施したが、該当する室内機が存在しなかった場合、対象エリアには室内機の情報は何も表示されない。しかし、この状態は検索を行なったタイミングでの結果であり、その直後に、室内機に備えられているリモコンが操作され、検索条件に一致したとしても表示に変化はない。
【００６６】
従って、意図する状態に室内機を制御するためには常に検索を行なって監視する必要がある。これをオペレータが実施するのは負担であり、現実的ではない。このため、本発明では、検索した結果、該当する室内機がない場合は自動的に監視モードへ移行する。つまり、集中管理装置で定期的に指定された条件での検索を繰り返し、一致した場合にその結果を表示するようになっている。この監視モードの間は表示の「検索」エリアがブリンク表示しており、監視モード実行中であることがオペレータに認識できる。検索を中止するためには、表示の「検索」エリアを再度タッチする。ブリンク表示が停止して監視モードを中止する。
【００６７】
なお、以上説明した実施例では、タッチパネルを使用しているがこれに限るものでなく、通常のキーボードと表示装置の組合せでもよい。また、設定エリアでの項目選択に複数回のタッチで項目を選択するようにしているが、プルダウンメニュー方式で全ての選択項目を一時的に表示させるようにしてもよい。
【００６８】
さらに、表示画面に表示される項目は一例であり、表示項目を絞ったり追加してもよい。なお、その場合は図４の管理テーブルも対応して追加削除することになる。例えば集中管理装置から各室内機の風量を設定するようにしたり、各室内機から上下風向板の角度情報を送信させ、この情報を検索条件の項目に追加したりしてもよい。
【００６９】
この情報は例えば冷房運転時、上下風向板が水平位置なら室温がある程度低下してきたことが予想され、上下風向板が下方に向いている場合は、室内の温度がまだ適温よりも高いことが予想される。検索条件を上下風向板が水平位置として、これに一致する室内機を検索し、この室内機の設定温度を高めに設定することにより、冷えすぎを防止して省エネを実施することができる。
【００７０】
次に図７のフローチャートを用いて集中管理装置の制御部の処理内容を説明する。なお図中のＳＴはステップを表し、これに続く数字はステップ番号を、また、ＹはＹｅｓを、ＮはＮｏをそれぞれ表している。また、以下の説明でキーの押下（入力）と表現しているが、キーとはタッチパネルにおいて、「次頁」など、入力するために押下されるエリア（項目）を示し、押下とはこのエリアにオペレータがタッチすることを意味する。
【００７１】
まず最初に集中管理装置の制御部は、記憶部に格納された管理テーブルから順に５台の室内機の管理データを取り出して、表示部の対象エリアの画面に表示させる（ＳＴ１）。このとき同時に、設定エリアも含めて所定の画面フォーマットで表示する。
【００７２】
次に、室内機側からの各室内機の動作状態データを受信したか確認する（ＳＴ２）。動作状態データを受信してない場合（ＳＴ２−Ｎ）、次に設定キーが入力されたか確認し（ＳＴ３）、設定キーが入力された場合（ＳＴ３−Ｙ）、対象エリアで黄色に選択された室内機へ現在表示されている設定エリアの設定情報を指示データとして送信する（ＳＴ４）。なお、ステップ４で対象エリアに黄色に選択された室内機が無ければ、何も処理しないでこのステップを抜ける。そして、ＳＴ２へジャンプする。
【００７３】
一方、設定キーが入力されていない場合（ＳＴ３−Ｎ）、検索キーが入力されたか確認する（ＳＴ５）。検索キーが入力されていない場合（ＳＴ５−Ｎ）は、その他のキー入力処理を行なう（ＳＴ６）。ＳＴ６でその他のキー入力が何も無い場合は何も処理しないでこのステップを抜ける。そして、ＳＴ２へジャンプする。
【００７４】
ＳＴ６では各キー毎の処理として以下の処理を行なう。前頁や次頁のキーが押下された場合、制御対象の表示エリアに表示されている項目に従って、管理テーブルから「個別」又は「グループ」の情報を抽出して、最大５件分の表示を行なう。前頁キーの場合は管理テーブルを遡って抽出し、次頁の場合は管理テーブルの次の５件分を抽出する。
【００７５】
制御対象／運転状態／運転モードキーが押下された場合、押下される毎に、それぞれのキーに対応して定められている選択項目を順次表示する。ただし、制御対象キーの押下の場合は、「個別」、「グループ」、「全体」の選択状態に従って、対象エリアの表示も対応して表示する。
【００７６】
「＋」キー／「−」キーが押下された場合、押下される毎に設定温度のエリアで表示される数値をアップ／ダウンする。また、「＋」キーと「−」キーと設定温度のエリアでキーの同時押しが行なわれたら、検索温度範囲の指定と認識し、該当キーを黄色で表示させる。また、黄色で表示されたキーが再度押下されたら、黄色表示をやめて元の状態に戻して表示する。この場合、検索温度範囲の指定が解除されたと認識する。
【００７７】
また、「＋」キーと「−」キーとが同時押しなら、該当キーを黄色で表示させる。この場合、設定温度は検索条件から除外されたと認識する。
【００７８】
対象エリアに表示されている室内機の情報の中で「部屋番号」のエリアが押下された場合、該当する室内機の情報エリアを全て黄色に表示する。また、黄色で表示された室内機の情報エリアが再度押下されたら、黄色表示をやめて元の状態に戻して表示する。また、黄色に選択された室内機の室内機Ｎｏ．をピックアップしておき、一時的に記憶する。この情報はＳＴ４で設定データの送信先に使用される。
【００７９】
ところで、ＳＴ５で検索キーが入力された場合（ＳＴ５−Ｙ）、次に監視モード実行中か確認する（ＳＴ７）。監視モード実行中の場合（ＳＴ７−Ｙ）、監視モードのキャンセルなので監視モードを解除し、また、「検索」エリアの表示ブリンクも中止する（ＳＴ８）。そして、ＳＴ２へジャンプする。
【００８０】
一方、監視モード実行中でない場合（ＳＴ７−Ｎ）、設定エリアに表示されている条件で管理テーブルを検索し、該当する室内機の情報をピックアップする（ＳＴ９）。なお、絞り込み検索の時、つまり、すでに、１回以上検索が実行されて、かつ、対象エリアに検索された室内機の情報が表示されている場合は、この検索された室内機と対応する管理テーブルのデータの中から再検索して該当する室内機の情報をピックアップする。そして、検索してピックアップした検索結果を表示部の対象エリアへ表示する（ＳＴ１０）。
【００８１】
次に、検索結果において、該当する室内機が抽出されたか確認する（ＳＴ１１）。もし室内機が抽出された場合（ＳＴ１１−Ｙ）、ＳＴ２へジャンプする。室内機が抽出されなかった場合（ＳＴ１１−Ｎ）、監視モードへ移行するため、監視モードの設定（フラグ等で識別）を行い、「検索」エリアの表示ブリンクを行なう（ＳＴ１２）。そして、ＳＴ２へジャンプする。
【００８２】
ところで、ＳＴ２において状態データを受信した場合（ＳＴ２−Ｙ）、この受信した状態データと対応する管理テーブルのデータを更新する（ＳＴ１３）。そして、監視モードの実行中か確認する（ＳＴ１４）。監視モードの実行中でなければ（ＳＴ１４−Ｎ）、ＳＴ２へジャンプする。監視モードの実行中であれば（ＳＴ１４−Ｙ）、自動的に検索を繰り返すためＳＴ９へジャンプする。
【図面の簡単な説明】
【００８３】
【図１】本発明、及び従来技術による空調機システムの実施例を示すシステムブロック図である。
【図２】本発明、及び従来技術による集中管理装置の実施例を示すブロック図である。
【図３】空調機システムが設置された建物の間取図であり、（Ａ）は１階を、（Ｂ）は２階をそれぞれ示している。
【図４】本発明による管理テーブルを説明する説明図である。
【図５】本発明による表示内容を説明する説明図である。
【図６】本発明による他の表示内容を説明する説明図である。
【図７】集中管理装置の制御部の処理を説明するフローチャートである。
【図８】従来の管理テーブルを説明する説明図である。
【図９】従来の表示内容を説明する説明図である。
【図１０】従来の他の表示内容を説明する説明図である。
【図１１】従来の別の表示内容を説明する説明図である。
【符号の説明】
【００８４】
１  表示部
２  入力部
３  制御部
４  記憶部
５  通信部
６  窓
１０  室内機
１１  リモコン
１２  室外機
１３  集中管理装置
【図１】
2008151465.tif 000003
【図２】
2008151465.tif 000004
【図３】
2008151465.tif 000005
【図４】
2008151465.tif 000006
【図５】
2008151465.tif 000007
【図６】
2008151465.tif 000008
【図７】
2008151465.tif 000009
【図８】
2008151465.tif 000010
【図９】
2008151465.tif 000011
【図１０】
2008151465.tif 000012
【図１１】
2008151465.tif 000013